【手続補正書】
【提出日】平成17年12月14日(2005.12.14)
【手続補正１】
【補正対象書類名】明細書
【補正対象項目名】発明の名称
【補正方法】変更
【補正の内容】
【発明の名称】転がり軸受への潤滑油塗布方法及び潤滑油塗布装置
【手続補正２】
【補正対象書類名】明細書
【補正対象項目名】特許請求の範囲
【補正方法】変更
【補正の内容】
【特許請求の範囲】
【請求項１】  少なくとも１つの吐出口を備えた液体定量吐出装置を使用し、
前記吐出口を転がり軸受の転動体の真上で且つ該転動体に十分に近付けた状態にして、規定量の潤滑油を前記吐出口から前記転動体に移すことにより、前記転がり軸受の内部に潤滑油を塗布することを特徴とする転がり軸受への潤滑油塗布方法。
【請求項２】  前記液体定量吐出装置には、前記転がり軸受の転動体の数と同数以下の吐出口を設け、同時に全ての前記吐出口が前記転動体の真上に位置するようにしたことを特徴とする請求項１記載の転がり軸受への潤滑油塗布方法。
【請求項３】  前記転がり軸受を保持した状態で、その軸心回りに回転させながら前記転がり軸受の位相をセンサーにより検出し、その検出結果に基づき、前記吐出口が前記転動体の真上に位置するようにしたことを特徴とする請求項１または２に記載の転がり軸受への潤滑油塗布方法。
【請求項４】  前記転がり軸受を保持する保持台に設けた係合部に、前記転がり軸受を係合させることにより、前記吐出口が前記転動体の真上に位置するようにしたことを特徴とする請求項１または２に記載の転がり軸受への潤滑油塗布方法。
【請求項５】  前記吐出口を前記転動体に十分近付けた状態で、前記吐出口から規定量の潤滑油を吐出させることにより、前記潤滑油を前記転動体に移すことを特徴とする請求項１乃至４のいずれかに記載の転がり軸受への潤滑油塗布方法。
【請求項６】  前記吐出口を前記転動体に十分近付ける前に、前記吐出口から規定量の潤滑油を吐出させることにより、前記吐出口に油滴を作り、その後、前記吐出口を前記転動体に十分近付けて前記油滴を前記転動体に接触させることにより、前記潤滑油を前記転動体に移すことを特徴とする請求項１乃至４のいずれかに記載の転がり軸受への潤滑油塗布方法。
【請求項７】  潤滑油を溶媒に溶かして前記吐出口から吐出させることを特徴とする請求項１乃至６のいずれかに記載の転がり軸受への潤滑油塗布方法。
【請求項８】  転がり軸受に規定量の潤滑油を塗布する潤滑油塗布装置であって、
潤滑油が塗布される転がり軸受を保持する保持台と、
先端が吐出口となっている少なくとも１つの給油パイプを備えると共に１回に定量の潤滑油を前記吐出口から吐出する液体定量吐出手段と、
前記液体定量吐出手段の吐出口が前記転がり軸受の転動体の真上に十分近付いた状態となるように位置決めする位置決め手段と
を備えて成ることを特徴とする潤滑油塗布装置。
【請求項９】  前記液体定量吐出手段は、前記転がり軸受の転動体の数と同数の吐出口を前記転動体と同一ピッチで備えて成ることを特徴とする請求項８に記載の潤滑油塗布装置。
【請求項１０】  前記位置決め手段は、前記転がり軸受を前記液体定量吐出手段の吐出口に対して相対的に回転させる回転手段と、前記転がり軸受の転動体の位置を検出するセンサーとを備えて成ることを特徴とする請求項８または９に記載の潤滑油塗布装置。
【請求項１１】  前記位置決め手段は、前記保持台に設けられ且つ前記転がり軸受が係合することにより前記転がり軸受の転動体の真上に前記液体定量吐出手段の吐出口が位置するようにされて成る係合部を有することを特徴とする請求項８または９に記載の潤滑油塗布装置。
【請求項１２】  前記給油パイプの外径面を溌油処理して成ることを特徴とする請求項８乃至１１のいずれかに記載の潤滑油塗布装置。
【手続補正３】
【補正対象書類名】明細書
【補正対象項目名】０００１
【補正方法】変更
【補正の内容】
【０００１】
【発明の属する技術分野】
本発明は、転がり軸受の内部に潤滑油を塗布するための転がり軸受への潤滑油塗布方法及び潤滑油塗布装置に関する。
【手続補正４】
【補正対象書類名】明細書
【補正対象項目名】０００２
【補正方法】変更
【補正の内容】
【０００２】
【従来の技術】
図８に転がり軸受の構成を示す。同図において、７００は転がり軸受で、これは、外輪７０１と内輪７０２との間に、複数個の球状の転動体７０３を保持した冠型保持器７０４を設けて構成されている。
【手続補正５】
【補正対象書類名】明細書
【補正対象項目名】００１０
【補正方法】変更
【補正の内容】
【００１０】
本発明は上述した従来の技術の有するこのような問題点に鑑みてなされたものであり、その目的とするところは、転がり軸受の内部の必要な部分にのみ潤滑油を容易且つ確実に塗布することができる転がり軸受への潤滑油塗布方法及び潤滑油塗布装置を提供しようとするものである。
【手続補正６】
【補正対象書類名】明細書
【補正対象項目名】００１１
【補正方法】変更
【補正の内容】
【００１１】
【課題を解決するための手段】
上記目的を達成するために本発明の転がり軸受への潤滑油塗布方法は、少なくとも１つの吐出口を備えた液体定量吐出装置を使用し、前記吐出口を転がり軸受の転動体の真上で且つ該転動体に十分に近付けた状態にして、規定量の潤滑油を前記吐出口から前記転動体に移すことにより、前記転がり軸受の内部に潤滑油を塗布することを特徴とする。
また、上記目的を達成するために本発明の潤滑油塗布装置は、転がり軸受に規定量の潤滑油を塗布する潤滑油塗布装置において、転がり軸受を保持する保持台と、先端が吐出口となっている少なくとも１つの給油パイプを備えると共に１回に定量の潤滑油を前記吐出口から吐出する液体定量吐出手段と、前記液体定量吐出手段の吐出口が前記転がり軸受の転動体の真上に十分に近付いた状態となるように位置決めする位置決め手段とを備えて成ることを特徴とする。
【手続補正７】
【補正対象書類名】明細書
【補正対象項目名】００１５
【補正方法】変更
【補正の内容】
【００１５】
図１は、本実施の形態に係る潤滑油塗布方法を実施するために使用する潤滑油塗布装置の構成を示す側面図であり、同図において、１は液体定量吐出装置（液体定量吐出手段）で、プランジャポンプ本体２を有している。このプランジャポンプ本体２の先端（図１において下端）側面部に接続された液体吸入口３には、潤滑油タンク４が取り付けられている。また、プランジャポンプ本体２の先端面（図１において下端面）に突設されたノズル接続口５には、給油ノズル６が取り付けられている。この給油ノズル６の先端面（図１において下端面）には、図２に示すように複数本の給油パイプ７が、転がり軸受７００の転動体７０３の配列と同じ配列で取り付けられている。給油パイプ７の外径面には油付着を防止するため溌油処理を施している。給油パイプ７の外径面に油が付着すると、その油が転がり軸受７００の平面部やシール溝などに再付着したり、塗油量が不安定になるなどの場合があるが、溌油処理により、これを防ぐことができる。
【手続補正８】
【補正対象書類名】明細書
【補正対象項目名】００３０
【補正方法】変更
【補正の内容】
【００３０】
回転装置９の回転テーブル１１の保持部１２に、潤滑油を塗布しようとする転がり軸受７００を保持した後、回転駆動用モータ２５により回転装置９の回転テーブル１１を回転駆動する。すると、この回転テーブル１１と一体に転がり軸受７００が回転して、該転がり軸受７００の転動体７０３が潤滑油吐出口８の真下に位置すると、センサー１３から転動体検出信号が出力されて、該転動体検出信号がコントローラ２０に入力されることにより回転駆動用モータ２５が停止する。次いで、上下駆動用モータ２７が一方向に回転駆動して上下スライドテーブルが下降し、この上下スライドテーブルと一体に液体定量吐出装置１が下降する。そして、予め設定されている下降端で停止する。下降端は、潤滑油吐出口８が転動体７０３に十分近付いた高さ（図１の２点鎖線の状態）に設定しておく。
【手続補正９】
【補正対象書類名】明細書
【補正対象項目名】００３２
【補正方法】変更
【補正の内容】
【００３２】
この状態になると、コントローラ２１により電磁弁２３が切り換え制御されて、液体定量吐出装置１のプランジャポンプ本体２のプランジャが駆動され、潤滑油３０が給油ノズル６の潤滑油吐出口８から吐出する。この状態では潤滑油吐出口８が転動体７０３に十分近付いているため、潤滑油３０は転動体７０３に付着し、次いで転がり軸受７００の外輪７０１の軌道面と転動体７０３との間の隙間、内輪７０２の軌道面と転動体７０３との間の隙間及び保持器７０４と転動体７０３との間の隙間に、それぞれ流れ込む。
【手続補正１０】
【補正対象書類名】明細書
【補正対象項目名】００４５
【補正方法】変更
【補正の内容】
【００４５】
また、上記実施の形態では、センサー１３が潤滑油を塗布しようとする転がり軸受７００の転動体７０３を検出したときに、転動体７０３が給油パイプ７の真下に位置するように設置されているが、センサー１３が潤滑油を塗布しようとする転がり軸受７００の転動体７０３を検出したときに、転動体７０３が給油パイプ７の真下に位置するように設置しないで、その状態から転動体７０３が給油パイプ７の真下に位置するまでの回転装置９の回転テーブル１１の回転角度を予め測定しておき、その測定値に基づいた補正角度値を、回転装置９の回転制御装置の記憶部に記憶させておき、センサー１３が潤滑油を塗布しようとする転がり軸受７００の転動体７０３を検出後に、前記補正角度値だけ回転装置９の回転テーブル１１を回転させた後、その回転を停止させるようにしても良い。
【手続補正１１】
【補正対象書類名】明細書
【補正対象項目名】００６６
【補正方法】変更
【補正の内容】
【００６６】
潤滑油タンク４のアウトポートには濾過器３１が接続されており、この濾過器３１のアウトポートとプランジャポンプ本体２の液体吸入口３は、プランジャポンプ本体２の上下動を妨げないように、可撓性チューブ３２で配管、接続されている。このチューブ３２の中央は分岐され、エア抜き用コック３３が接続されている。また、図７において、３４は空気圧レギュレータである。
【手続補正１２】
【補正対象書類名】図面
【補正対象項目名】図４
【補正方法】変更
【補正の内容】
【図４】
2000193192.tif 000001